(57)【要約】【課題】照明機器の設置作業を容易にすることができる接続装置を提供すること。【解決手段】実施形態の一例に係る接続装置は、筐体１０と導電性部材２４〜２６とを有する。筐体１０は、プラグ４１が有する長手方向の幅よりも長手方向の幅が長い開口部２２が備えられた中空の筐体である。導電性部材２４〜２６は、開口部２２の長手方向に沿って筐体１０の内部に設置され、開口部２２に挿入されたプラグ４１に対し、照明機器４０を制御するための制御信号を伝達する。【選択図】図２
2016181420.tif 000002
【特許請求の範囲】
【請求項１】
プラグが有する長手方向の幅よりも長手方向の幅が長い開口部が備えられた中空の筐体と；
前記開口部の長手方向に沿って前記筐体の内部に設置され、前記開口部に挿入された前記プラグに対し、照明機器を制御するための制御信号を伝達する伝達機構と；
を具備することを特徴とする接続装置。
【請求項２】
前記伝達機構は、
前記開口部の長手方向に沿って対向するように配置された一対の導電性部材；
を具備することを特徴とする請求項１に記載の接続装置。
【請求項３】
前記伝達機構は、
基準となる電位を前記プラグに伝達する第１の導電性部材と；
前記基準となる電位との差で情報を示す第１の信号を前記プラグに伝達する第２の導電性部材と；
前記第１の信号とは逆の電位で情報を示す第２の信号を伝達する第３の導電性部材と；
が離間して配置されていることを特徴とする請求項１または２に記載の接続装置。
【請求項４】
前記プラグが前記開口部に挿入された状態で挿入方向を中心として回転した際に、当該プラグを保持する保持機構；
をさらに具備することを特徴とする請求項２または３に記載の接続装置。
【請求項５】
前記保持機構は、
前記導電性部材が、前記プラグが前記開口部に挿入された状態で挿入方向を中心に回転した際に、当該プラグと接触することで、当該プラグを保持するとともに、前記制御信号を当該プラグに伝達する
ことを特徴とする請求項４に記載の接続装置。
【請求項６】
前記保持機構は、
前記開口部の長手方向に沿って対向するように配置された一対の前記導電性部材が、前記プラグが前記開口部に挿入された状態で挿入方向を中心として回転した際に、当該プラグと接触することで、当該プラグを保持する
ことを特徴とする請求項５に記載の接続装置。
【請求項７】
前記開口部の長手方向に沿って前記筐体の内部に設置され、前記開口部に挿入された前記プラグに対し、電力を伝達する給電機構；
をさらに具備することを特徴とする請求項１〜６のいずれか１つに記載の接続装置。
【請求項８】
前記給電機構は、
前記開口部の長手方向に沿って対向するように配置された一対の給電部材；
を具備することを特徴とする請求項７に記載の接続装置。
【請求項９】
前記給電部材は、前記プラグが前記開口部に挿入された状態で挿入方向を中心として回転した際に、当該プラグと接触することで、当該プラグを保持することを特徴とする請求項８に記載の接続装置。
【発明の詳細な説明】
【技術分野】
【０００１】
本発明の実施形態は、接続装置に関する。
【背景技術】
【０００２】
従来、スタジオや舞台等は、天井から吊るされたバトンと呼ばれる長尺の装置に取り付けられた複数の照明機器により照明演出がなされている。そして、照明制御装置が各照明機器を遠隔制御する照明制御システムが導入されている。
【０００３】
このような照明制御システムでは、複数のプラグ受け（以下、コンセントと記載する。）が設置された線樋と呼ばれる長尺の装置と、照明制御装置からの制御信号を伝達する伝達装置とがバトンに設置されている。そして、使用する照明機器をバトンに取り付け、照明機器が有する電力ケーブルのプラグを線樋に設置されたコンセントに差し込むとともに、照明機器と伝達装置とを通信ケーブルで通信可能に接続するといった設置作業が行われる。
【０００４】
ところで、このような照明制御システムでは、照明機器の設置作業が困難な場合がある。例えば、照明機器と伝達装置とが離れている場合や、照明機器とコンセントとが離れている場合には、照明機器の取り付け位置をずらさなければならず、照明機器のレイアウトに影響を及ぼしてしまう。また、電力ケーブルと通信ケーブルとを別々に接続しなければならないため、照明機器の設置作業に手間がかかっていた。
【先行技術文献】
【特許文献】
【０００５】
【特許文献１】特開２００８−１２５７５１号公報
【特許文献２】特開２００６−３１８７２７号公報
【発明の概要】
【発明が解決しようとする課題】
【０００６】
本発明が解決しようとする課題は、照明機器の設置作業を容易にすることができる接続装置を提供することである。
【課題を解決するための手段】
【０００７】
実施形態の一例に係る接続装置は、筐体と伝達機構とを有する。筐体は、プラグが有する長手方向の幅よりも長手方向の幅が長い開口部が備えられた中空の筐体である。伝達機構は、前記開口部の長手方向に沿って前記筐体の内部に設置され、前記開口部に挿入された前記プラグに対し、照明機器を制御するための制御信号を伝達する。
【発明の効果】
【０００８】
実施形態の一例に係る接続装置によれば、照明機器の設置作業を容易にすることができる。
【図面の簡単な説明】
【０００９】
【図１】図１は、実施形態に係るバトンの一例を示す全体構成図である。
【図２】図２は、実施形態に係る線樋の断面図である。
【図３】図３は、実施形態にかかるプラグの形状を示す斜視図である。
【図４】図４は、実施形態に係るプラグと電力部材及び導電性部材の接触を説明するための図である。
【図５】図５は、実施形態にかかるプラグの移動を説明するための図である。
【図６】図６は、図５のＣ−Ｃ断面図である。
【発明を実施するための形態】
【００１０】
以下、図面を参照して、実施形態に係る接続装置を説明する。実施形態において同一の機能を有する構成には同一の符号を付し、重複する説明は省略する。なお、以下の実施形態で説明する接続装置は、一例を示すに過ぎず、実施形態を限定するものではない。例えば、以下の実施形態では、接続装置の一例である線樋を説明するが、線樋以外にも、バトン等の任意の舞台装置の制御にも適用することができる。なお、以下の各実施形態は、矛盾しない範囲内で適宜組みあわせてもよい。
【００１１】
以下の実施形態に係る接続装置（例えば、線樋２０）は、筐体２１と伝達機構（例えば、導電性部材２４〜２６）とを有する。筐体２１は、プラグ４１が有する長手方向の幅よりも長手方向の幅が長い開口部２２が備えられた中空の筐体である。また、伝達機構は、開口部２２の長手方向に沿って筐体２１の内部に設置され、開口部２２に挿入されたプラグ４１に対し、照明機器４０を制御するための制御信号を伝達する。
【００１２】
また、以下の実施形態に係る線樋２０は、伝達機構として、開口部２２の長手方向に沿って対向するように配置された一対の導電性部材２４−１〜２６−１、２４−２〜２６−２を有する。
【００１３】
また、以下の実施形態に係る線樋２０は、伝達機構として、基準となる電位をプラグ４１に伝達する導電性部材２６−１、２６−２を有し、基準となる電位との差で情報を示す第１の信号（例えば、主データリンクの＋の信号）をプラグ４１に伝達する導電性部材２４−１、２４−２を有し、第１の信号とは逆の電位で情報を示す第２の信号（例えば、主データリンクの−の信号）を伝達する導電性部材２５−１、２５−２を有する。
【００１４】
また、以下の実施形態に係る線樋２０は、プラグ４１が開口部２２に挿入された状態で挿入方向を中心として回転した際に、プラグ４１を保持する保持機構を有する。
【００１５】
また、以下の実施形態に係る線樋２０は、導電性部材２４〜２６が、保持機構として、プラグ４１が開口部２２に挿入された状態で挿入方向を中心に回転した際に、プラグ４１と接触することで、プラグ４１を保持するとともに、制御信号をプラグ４１に伝達する。
【００１６】
また、以下の実施形態に係る線樋２０は、開口部２２の長手方向に沿って対向するように配置された一対の導電性部材２４−１〜２６−１、２４−２〜２６−２が、保持機構として、プラグ４１が開口部２２に挿入された状態で挿入方向を中心として回転した際に、プラグ４１と接触することで、プラグ４１を保持する。
【００１７】
また、以下の実施形態に係る線樋２０は、開口部２２の長手方向に沿って筐体２１の内部に設置され、開口部２２に挿入されたプラグ４１に対し、電力を伝達する給電機構を有する。
【００１８】
また、以下の実施形態に係る線樋２０は、給電機構として、開口部２２の長手方向に沿って対向するように配置された一対の給電部材２３−１、２３−２を有する。
【００１９】
また、以下の実施形態に係る線樋２０は、給電部材２３−１、２３−２が、プラグ４１が開口部２２に挿入された状態で挿入方向を中心として回転した際に、プラグ４１と接触することで、プラグ４１を保持する。
【００２０】
［実施形態］
（実施形態に係る照明制御システムの構成）
図１は、実施形態に係るバトンの一例を示す全体構成図である。実施形態に係るバトン１は、筐体１０、線樋２０、パイプ３０を有し、天井からワイヤＷ等により吊り下げられている。また、図１に示す例では、照明機器４０と伝送装置５０とがバトン１に設置されている。なお、バトン１には、任意の種別や数の照明機器４０を設置可能である。
【００２１】
筐体１０は、バトン１が有する筐体部であり、例えば、５角柱形状を有する金属製や樹脂製の部材から構成された長尺の筐体であり、ワイヤＷにより天井から設置されるとともに、ワイヤＷ等を介して、線樋２０およびパイプ３０が接続される。
【００２２】
線樋２０は、例えば四角柱形状を有する金属製や樹脂製の部材から構成された長尺の筐体であり、長手方向が筐体１０の長手方向に沿うように、ワイヤＷ等を介して、筐体１０の下部に設置されている。ここで、線樋２０は、中空の筐体であって、長手方向に開口部が設けられた筐体を有し、筐体の両端に樹脂製あるいは金属製の蓋部２０ａ、２０ｂが形成されているものとする。また、線樋２０は、例えば、伝送装置５０および図示を省略した電源装置と接続されており、後述するように、伝送装置５０から制御信号を照明機器４０に伝達し、電源装置から電力を照明機器４０に給電する。
【００２３】
パイプ３０は、例えば円柱形状を有する金属製や樹脂製の部材から構成された長尺の筐体であり、長手方向が筐体１０の長手方向に沿うように、ワイヤＷ等を介して、線樋２０の下部に設置されている。なお、線樋２０およびパイプ３０は、静止状態において、筐体１０の長手方向に沿うように設置されるが、ワイヤＷが揺れた場合等には、筐体１０と異なる向きを向く場合がある。
【００２４】
照明機器４０は、舞台やスタジオ等の任意の場所を照明するための照明機器であり、例えば、ＤＭＸ規格に従った通信プロトコルや、ＤＭＸを拡張したＲＤＭ（Remote  Device  Management）規格に沿った通信方式により、照明を制御可能な照明機器である。例えば、照明機器４０は、ＬＥＤ（Light  Emitting  Diodes）等の半導体発光素子を有し、制御信号に従って、明るさ（照度）、範囲、色彩、照明する位置等を変化させることで、スタジオや舞台等の照明演出を行う。なお、照明機器４０は、いわゆるハロゲンランプであってもよく、ＤＭＸ規格やＲＤＭ規格以外の規格に沿った通信方式により制御される照明機器であってもよい。
【００２５】
プラグ４１は、照明機器４０が有するプラグであり、後述する説明で明らかとなるように、照明機器４０が動作するための電力と、照明機器４０を制御する制御信号とを照明機器４０に伝達するための差込具である。
【００２６】
伝送装置５０は、イーサーネット（登録商標）等のネットワークを介して、照明機器４０を制御する照明制御装置と通信可能に接続される装置であり、照明制御装置から照明機器４０の制御内容を受信すると、受信した制御内容を示す制御信号を生成し、生成した制御信号を線樋２０を介して照明機器４０へ出力する伝達装置である。
【００２７】
（実施形態に係る線樋について）
ここで、従来のバトンは、照明機器４０に対して電力を供給するためのコンセントが筐体１０や線樋２０に設置されていた。しかしながら、照明機器４０が有する電力ケーブルの長さには限りがあるため、照明機器４０の取り付け位置の近傍にコンセントが設置されていない場合には、照明機器４０の取り付け位置をずらさなければならない。
【００２８】
また、従来のバトンは、伝達装置５０からＤＭＸ規格やＲＤＭ規格の制御信号を照明機器４０に伝達するための通信ケーブルで、伝達装置５０と照明機器４０とを接続する必要がある。しかしながら、通信ケーブルの長さにも限りがあるため、照明機器４０と伝送装置５０との距離が離れている場合には、照明機器４０の取り付け位置をずらさなければならない。
【００２９】
また、ハロゲンランプ等を用いた照明機器では、大容量の電力を確保するために径が太い電力ケーブルが用いられるため、電力ケーブルの取り回しが困難であった。近年、ＬＥＤを用いた照明機器の省電力化に伴い、電力ケーブルの太さが細くなる傾向にあるものの、従来のバトンでは、電力ケーブルと通信ケーブルとを別々に設置する必要があり、照明機器の設置に手間がかかってしまう。
【００３０】
（実施形態に係る線樋の内部構造について）
そこで、本願の線樋２０は、図２に示す構成を有することで、任意の位置に設置された照明機器４０に対し、電力と制御信号とを提供することを可能とする。図２は、実施形態に係る線樋の断面図である。なお、図２には、図１に示した線樋２０の端に配置された蓋部２０ｂを取り除いた図を記載した。また、図２には、筐体２１が無い状態における給電部材２３−１、２３−２および導電性部材２４−１〜２６−１、２４−２〜２６−２の配置を示す点線を記載した。また、図２では、給電部材２３−１、２３−２および各導電性部材２４−１〜２６−１、２４−２〜２６−２にそれぞれハッチングを付した。
【００３１】
まず、線樋２０は、中空な柱状の筐体２１を有する。筐体２１は、４つの側面２１−１、２１−２、２１−３、２１−４により構成される。側面２１−１には、後述するプラグ４１の金属部材４２が挿入可能な開口部２２が、筐体２１の長手方向に沿って一方の端から他方の端まで設けられている。すなわち、筐体２１は、断面が四角形となる四角柱であって、１つの辺上に開口部が設けられている断面形状を有する。なお、開口部２２の長手方向の長さは、挿入方向に対するプラグ４１の幅よりも長く、プラグ４１を筐体２１の長手方向にスライド可能な程度に長いものとする。
【００３２】
また、筐体２１の内部には、導電性の素材から構成され、開口部２２の長手方向に沿って延設された長尺の部材であって、電源装置から供給された電力を伝達する給電機構として、２つの給電部材２３−１、２３−２（以下、総括して電力部材２３と記載する場合がある。）が設置されている。また、筐体２１の内部には、導電性の素材から構成され、開口部２２の長手方向に沿って延設された長尺の部材であって、伝送装置５０から送信された制御信号が伝達される伝達機構として、導電性部材２４−１〜２６−１、２４−２〜２６−２（以下、総括して導電性部材２４〜２６と記載する場合がある。）が離接した状態で設置されている。
【００３３】
より具体的には、給電部材２３−１および導電性部材２４−１〜２６−１は、側面２１−４に離接して設置され、給電部材２３−２および導電性部材２４−２〜２６−２は、側面２１−２に給電部材２３−１および導電性部材２４−１〜２６−１と対向するように、離接して設置されている。
【００３４】
なお、後述する説明で明らかになるように、給電部材２３−１と給電部材２３−２、導電性部材２４−１と導電性部材２４−２、導電性部材２５−１と導電性部材２５−２、導電性部材２６−１と導電性部材２６−２は、プラグ４１が有する端子の短手方向の幅よりも長く、プラグ４１が有する端子の長手方向の幅以下の距離だけ離して設置されている。
【００３５】
給電部材２３は、電源装置等から１００ボルトの交流電力が伝達されており、開口部２２の任意の位置に挿入されたプラグ４１に対して電力を給電する。また、導電性部材２４〜２６は、伝送装置５０から受信した制御信号が伝達されており、開口部２２の任意の位置に挿入されたプラグ４１に対してＤＭＸ規格やＲＤＭ規格に沿った制御信号を伝達する。
【００３６】
ここで、ＤＭＸ規格やＲＤＭ規格では、異なる波形の複数の制御信号により情報が伝達される。そこで、線樋２０は、各導電性部材２４〜２６を介して、それぞれ異なる制御信号を伝達する。
【００３７】
例えば、最も開口部２２に近い位置に配置された導電性部材２６−１、２６−２は、制御信号を伝達する信号ケーブルのシールドが接続されており、他の導電性部材２４、２５が伝達する信号を読み出す際に基準となる電位（例えば、アースの電位）を、開口部に挿入されたプラグ４１へ伝達する。
【００３８】
また、最も開口部から遠い位置に配置された導電性部材２４−１、２４−２は、例えば、ＤＭＸ規格の制御信号を伝達する信号ケーブルから、主データリンクの＋の信号、すなわち、導電性部材２６が伝達する電位との差で情報を示す電位の制御信号を伝達する信号線が接続されており、主データリンクの＋の信号を、開口部に挿入されたプラグ４１へ伝達する。
【００３９】
また、導電性部材２５−１、２５−２は、例えば、ＤＭＸ規格の制御信号を伝達する信号ケーブルから、主データリンクの＋の信号とは逆の電位で情報を示す主データリンクの−の信号を伝達する信号線が接続されており、主データリンクの−の信号を、開口部に挿入されたプラグ４１へ伝達する。
【００４０】
（実施形態にかかるプラグの構造について）
上述したように、プラグ４１には、線樋２０の開口部の内部に配置された給電部材２３及び複数の導電性部材２４〜２６により、電力と制御信号とが伝達される。以下、図面を用いて、電力と制御信号とをそれぞれ個別に照明機器４０へと伝達するプラグ４１の形状について説明する。
【００４１】
図３は、実施形態にかかるプラグの形状を示す斜視図である。図３に示すように、プラグ４１は、金属部材４２、本体部材４３、ケーブル４４を有する。金属部材４２は、金属製の部材により構成され、例えば、幅と高さとが異なる大きさの金属製の端子４２−１〜４２−４を有する。各端子４２−１〜４２−４は、例えば、４極のフォーンプラグと同様に、それぞれが他の端子から絶縁された状態で円柱状の芯部に接続されている。
【００４２】
本体部材４３は、例えば、樹脂製の部材により構成されており、プラグ４１の本体部分を構成する。ケーブル４４は、例えば、各端子４２−１〜４２−４に伝達された電力および制御信号をそれぞれ個別に照明機器４０に伝達するケーブルである。
【００４３】
ここで、図３に示す例では、各端子４２−１〜４２−４は、小判型の部材の両端を長辺に対して垂直な面で切断した形状を有する。また、かかる形状において、各端子４２−１〜４２−４の挿入方向に対する厚みは、開口部２２の短手方向の幅よりも短く、挿入方向に対する幅は、開口部２２の短手方向の幅よりも長いものとする。より具体的には、各端子４２−１〜４２−４の挿入方向に対する厚みは、給電部材２３−１から対向する給電部材２３−２までの長さと同じ長さであるものとする。なお、各端子４２−１〜４２−４は、例えば、楕円形の部材の両端を長辺に対して垂直な面で切断した形状や、正円形の部材の両端を長辺に対して垂直な面で切断した形状であってもよい。
【００４４】
プラグ４１が図３に示す構造を有する場合、オペレータは、プラグ４１を線樋２０の開口部２２のうち任意の位置に挿入し、挿入後にプラグ４１の向きを回転させることで、プラグ４１を係合固定するとともに、電力ケーブルおよび信号ケーブルの接続を実質的に完了させることができる。
【００４５】
例えば、図４は、実施形態に係るプラグと電力部材及び導電性部材の接触を説明するための図である。なお、図４には、図１のＡ−Ａ断面図を図４中（Ａ）および（Ｃ）に記載し、図１のＢ−Ｂ断面図を図４中（Ｂ）および（Ｄ）に記載した。また、図４では、図２と同様に、給電部材２３および各導電性部材２４〜２６の断面に図２と同様のハッチングを付した。
【００４６】
例えば、オペレータは、金属部材４２の長手方向を開口部２２の長手方向と平行にした場合は、金属部材４２の厚みが開口部２２の短手方向の幅よりも短いため、図４中（Ａ）および図４中（Ｂ）に示すように、金属部材４２を開口部の任意の位置に挿入することができる。
【００４７】
また、オペレータがプラグ４１の向きを挿入方向を中心として９０度回転させた場合は、図４中（Ｃ）に示すように、各端子４２−１〜４２−４が給電部材２３および導電性部材２４〜２６と接触するので、プラグ４１は、電力および制御信号をそれぞれ個別に照明機器４０へと伝達することができるとともに、図４中（Ｄ）に示すように、金属部材４２が給電部材２３や導電性部材２４〜２６と係合固定するので、プラグ４１を挿入位置に固定させることができる。すなわち、給電部材２３や導電性部材２４〜２６は、挿入されたプラグ４１が回転した際、金属部材４２を挟み込むことで、プラグ４１を保持する保持機構としての機能を発揮する。
【００４８】
（実施形態にかかるプラグの移動について）
図５は、実施形態にかかるプラグの移動を説明するための図である。図５に示すように、金属部材４２の長手方向が開口部２２の長手方向と平行になるようにプラグ４１を開口部２２に挿入した場合には、給電部材２３および導電性部材２４〜２６と、金属部材４２が接触しないため、プラグ４１が固定されず、電力や制御信号がプラグ４１に伝達されない。このため、オペレータは、プラグ４１を、開口部２２の長手方向５１、５２へスライドさせることができる。また、プラグ４１を開口部２２への挿入方向に対して９０度回転させた場合は、給電部材２３および導電性部材２４〜２６と、金属部材４２が接触する結果、プラグ４１が係合固定されるとともに、電力と制御信号とがプラグ４１に伝達されることとなる。
【００４９】
（実施形態にかかるプラグの内部構造について）
次に、図６を用いて、プラグ４１が有するケーブル４４の内部構造について説明する。図６は、図５のＣ−Ｃ断面図である。図６に示す例では、ケーブル４４は、電力ケーブル４４−１と信号ケーブル４４−２とがシールド４４−３を介して接合されており、電力ケーブル４４−１と信号ケーブル４４−２との外周が絶縁被覆４４−４により覆われる構造を有する。
【００５０】
電力ケーブル４４−１は、照明機器４０に電力を伝達するケーブルであり、給電部材２３から金属部材４２−１に給電された電力を照明機器４０まで伝達する導電性のケーブル（図６中右上がりのハッチングで示す）を絶縁体で覆った構成を有する。信号ケーブル４４−２は、照明機器４０に制御信号を伝達するケーブルであり、導電性部材２４〜２６から各端子４２−１〜４２−４に伝達された制御信号を照明機器４０まで伝達するケーブル（図６中右下がりのハッチングで示す）を絶縁体で覆った構成を有する。シールド４４−３は、信号ケーブル４４−１を流れる電流により生じる磁気から、信号ケーブル４４−２を流れる制御信号を保護するためのシールドである。
【００５１】
このように、照明機器４０は、電力ケーブル４４−１と信号ケーブル４４−２とを一体化したケーブル４４を有するので、ケーブルの取り回しを容易にすることができる結果、照明機器４０の設置作業をさらに容易にすることができる。
【００５２】
（保持機構について）
なお、上述した線樋２０は、プラグ４１を開口部２２に挿入して回転させた場合に、金属部材４２と給電部材２３および導電性部材２４〜２６が接触し、係合固定させることで、プラグ４１を保持する保持機構を有していた。しかしながら、実施形態は、これに限定されるものではない。例えば、線樋２０は、他にも挿入されたプラグ４１を保持することができる機構であれば、任意の機構によりプラグ４１を保持して良い。例えば、線樋２０は、挿入されたプラグ４１が回転した際、金属部材４２を挟み込むことでプラグ４１を保持するための保持金具等を線樋２０の内部に有してもよい。
【００５３】
また、上述した実施形態では、プラグ４１を開口部２２に挿入して、挿入方向を中心として９０度回転させた際に、プラグ４１が保持される保持機構について説明したが、実施形態は、これに限定されるものではなく、任意の角度だけ回転させた際にプラグ４１を保持する保持機構であってもよい。
【００５４】
（導電性部材について）
上述した線樋２０は、開口部２２に沿って筐体２１の端から他方の端まで延設された導電性部材２４〜２６を有していた。しかしながら、実施形態は、これに限定されるものではない。例えば、線樋２０は、複数の導電性部材を開口部２２に沿って、開口部２２の長手方向に並べて配置し、各導電性部材をそれぞれ並列に伝送装置５０と接続してもよい。このような構成を有する場合、線樋２０は、各導電性部材にそれぞれ異なる照明機器のプラグが接触している場合、各照明機器と伝送装置５０とを並列に接続することとなる。この結果、線樋２０は、各照明機器４０に対して、制御信号を適切に伝送することができる。
【００５５】
また、図２に示す例では、開口部２２が設けられた側面２１−１に対して平行な側面２１−３側から給電部材２３および複数の導電性部材２４〜２６が設けられる例について記載したが、実施形態はこれに限定されるものではなく、給電部材２３および複数の導電性部材２４〜２６は、任意の順番で配置されてよい。また、給電部材２３および複数の導電性部材２４〜２６は、開口部２２が設けられた側面２１−１の内側や、側面２１−３に設けられていてもよく、側面２１−２または側面２１−４のいずれか一方にのみ設けられていてもよい。
【００５６】
（線樋２０について）
上述した例では、バトン１は、筐体１０とは別に線樋２０を有していた。しかしながら、実施形態は、これに限定されるものではなく、筐体１０と線樋２０とが接触した状態のバトン１であってもよく、筐体１０と線樋２０とが一体となったバトン１であってもよい。例えば、バトン１の筐体１０は、線樋２０と同様に、プラグ４３を挿入可能な開口部が長尺方向に設けられ、かかる開口部に沿って制御信号を伝達する伝達機構が備えられていてもよい。
【００５７】
より具体的には、筐体１０を短尺方向に切断した際の断面（例えば、図１に示すＡ−Ａ断面と同一平面上の断面）は、下方（床側）に突出した頂点を備えた略５角形の形状を有する。このような筐体１０を構成する側面のうち、下方に突出した頂点から延びる辺を構成する側面上に、線樋２０と同様の開口部および伝達機構が備えられていてもよい。
【００５８】
また、筐体１０は、下方（床側）に突出した部分が面取りされ、突出が小さくなった略６各柱形状を有していてもよい。実施形態にかかるバトン１は、このような筐体１０と線樋２０とを接触若しくは一体としたバトンであってもよい。
【００５９】
このように、線樋２０は、開口部２２が設けられた中空の筐体２１を有し、筐体２１の内側に、開口部２２の長手方向に制御信号を伝達する伝達機構として、導電性部材２４〜２６が設置されているので、開口部の任意の位置に挿入されたプラグ４１に制御信号を伝達することができる。この結果、線樋２０は、開口部２２の任意の位置にプラグ４１を差し込むだけで照明機器４０に制御信号を伝達することができる結果、設置作業を容易にすることができる。
【００６０】
例えば、オペレータは、照明機器４０と伝送装置５０とを接続する信号ケーブルの長さや、プラグ４１の長さを考慮せずとも、照明機器４０をパイプ３０の任意の位置に設置し、プラグ４１を開口部２２の任意の位置に挿入するだけで、照明機器４０に制御信号と電力とを伝達させることができる。この結果、線樋２０は、照明機器４０の設置作業を容易にすることができる。
【００６１】
また、線樋２０は、バトン１の筐体１０に沿った長尺の筐体２１を有し、筐体２１に設置された開口部２２の任意の位置にプラグ４１を挿入することができる。このため、オペレータは、ケーブル４４の長さに係らず、照明機器４０をパイプ３０の任意の位置に設置することができる。
【００６２】
また、線樋２０は、開口部２２の長手方向に沿って対向するように配置された一対の導電性部材２４−１〜２６−１、２４−２〜２６−２を有する。すなわち、線樋２０は、導電性部材２４−１〜２６−１、２４−２〜２６−２で挿入されたプラグ４１を挟み込む構造を有するので、制御信号をより確実に照明機器４０に伝達することができる。
【００６３】
また、線樋２０は、基準となる電位を前記プラグに伝達する導電性部材２６と、主データリンクの＋の信号を伝達する導電性部材２４と、主データリンクの−の信号を伝達する導電性部材２５とが離間して配置されていることを特徴とする。このため、線樋２０は、挿入されたプラグ４１に対し、ＤＭＸ規格やＲＤＭ規格に沿った信号を伝達することができる。
【００６４】
また、線樋２０は、プラグ４１が開口部２２に挿入された状態で挿入方向を中心として回転した際に、プラグ４１を保持する保持機構を有する。例えば、線樋２０は、プラグ４１が開口部２２に挿入された状態で挿入方向を中心に回転した際に、プラグ４１を挟み込むように接触することで、プラグ４１を保持するとともに、制御信号をプラグ４１に伝達する導電性部材２４〜２６を保持機構として有する。このため、オペレータは、プラグ４１を開口部２２に挿入して回転させるだけで、プラグ４１を固定し、プラグ４１の脱落を回避するとともに、照明機器４０と伝送装置５０との接続を完了させることができる。また、オペレータは、プラグ４１を逆側に回転させることで、プラグ４１を容易に取り外すことができる。
【００６５】
また、線樋２０は、給電機構として、筐体２１の内部に、開口部２２の長手方向に沿って対向するように配置された一対の給電部材２３を有する。そして、給電部材２３は、プラグ４１が開口部２２に挿入された状態で回転した際に、プラグ４１と接触することで、プラグを保持するとともに、プラグ４１に電力を給電する。このため、オペレータは、プラグ４１を開口部２２に挿入して回転させるだけで、プラグ４１を固定するとともに、照明機器４０と電源および伝送装置５０との接続を完了させることができる。
【００６６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００６７】
１  バトン
１０  筐体
２０  線樋
２１  筐体
２２  開口部
２３  給電部材
２４〜２６  導電性部材（伝達機構）
３０  パイプ
４０  照明機器
４１  プラグ
４２  金属部材
４２−１〜４２−４  端子
【図１】
2016181420.tif 000003
【図２】
2016181420.tif 000004
【図３】
2016181420.tif 000005
【図４】
2016181420.tif 000006
【図５】
2016181420.tif 000007
【図６】
2016181420.tif 000008